(57)【特許請求の範囲】
【請求項１】
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
前記複数の通信インタフェースのうちの少なくとも１つの他の通信インタフェースの電力特性に対する第１の通信インタフェースの電力特性に基づいて、前記第１の通信インタフェースをアクティブ化することと、
第１の予め定められた期間、前記アクティブ化された第１の通信インタフェースの通信サービス・レベルを評価することと、
前記第１の通信インタフェースを非アクティブ化することと、
前記複数の通信インタフェースのうちの少なくとも１つの他の通信インターフェースの電力特性に対する第２の通信インタフェースの電力特性に基づいて、前記第２の通信インタフェースをアクティブ化することであって、前記第２の通信インタフェースは、媒体タイプおよび接続技術のうちの少なくとも１つによって、前記第１の通信インタフェースとは異なることと、
第２の予め定められた期間、前記アクティブ化された第２の通信インタフェースの通信サービス・レベルを評価することと、
前記第２の通信インタフェースを非アクティブ化することであって、前記第１および第２の通信インタフェースのどちらも、前記第１および第２の通信インタフェースを評価すること（assessings）の間は同時にアクティブ化されないことと、
前記第１の通信インタフェースの通信サービス・レベルと、前記第２の通信インタフェースの通信サービス・レベルとの比較を実行することと、
前記通信サービス・レベルの比較に基づいて、通信インタフェースを選択することと
を備えた方法。
【請求項２】
前記電力特性は、前記複数の通信インタフェースのうちの別の通信インタフェースの電力消費との比較におけるそれぞれの通信インタフェースの電力消費を備える、請求項１に記載のモバイル局のための通信サービスを提供する方法。
【請求項３】
前記モバイル局は、前記アクティブ電力モードである通信インタフェースの通信サービス・レベルを評価することができ、前記非アクティブ電力モードである通信インタフェースの通信サービス・レベルを評価することができない、請求項１に記載のモバイル局のための通信サービスを提供する方法。
【請求項４】
各々がアクティブ電力モードと非アクティブ電力モードとを有する複数の通信インタフェースであって、前記アクティブ電力モードである通信インタフェースの電力消費は、前記非アクティブ電力モードである通信インタフェースの電力消費より大きい複数の通信インタフェースと、
前記複数の通信インタフェースのうちの少なくとも１つの他の通信インタフェースの電力特性に対する第１の通信インタフェースの電力特性に基づいて、前記第１の通信インタフェースをアクティブ化する手段と、
第１の予め定められた期間、前記アクティブ化された第１の通信インタフェースの通信サービス・レベルを評価する手段と、
前記第１の通信インタフェースを非アクティブ化する手段と、
前記複数の通信インタフェースのうちの少なくとも１つの他の通信インターフェースの電力特性に対する第２の通信インタフェースの電力特性に基づいて、前記第２の通信インタフェースをアクティブ化する手段であって、前記第２の通信インタフェースは、媒体タイプおよび接続技術のうちの少なくとも１つによって、前記第１の通信インタフェースとは異なる手段と、
第２の予め定められた期間、前記アクティブ化された第２の通信インタフェースの通信サービス・レベルを評価する手段と、
前記第２の通信インタフェースを非アクティブ化する手段であって、前記第１および第２の通信インタフェースのどちらも、前記第１および第２の通信インタフェースを評価することの間は同時にアクティブ化されない手段と、
前記第１の通信インタフェースの通信サービス・レベルと、前記第２の通信インタフェースの通信サービス・レベルとの比較を実行する手段と、
前記通信サービス・レベルの比較に基づいて、通信インタフェースを選択する手段と
を備えたモバイル局。
【請求項５】
コンピュータに、複数の通信インタフェースのうちの少なくとも１つの他の通信インタフェースの電力特性に対する第１の通信インタフェースの電力特性に基づいて、前記第１の通信インタフェースをアクティブ化させるコードと、
前記コンピュータに、第１の予め定められた期間、前記アクティブ化された第１の通信インタフェースの通信サービス・レベルを評価させるコードと、
前記コンピュータに、前記第１の通信インタフェースを非アクティブ化させるコードと、
前記コンピュータに、前記複数の通信インタフェースのうちの少なくとも１つの他の通信インターフェースの電力特性に対する第２の通信インタフェースの電力特性に基づいて、前記第２の通信インタフェースをアクティブ化させるコードであって、前記第２の通信インタフェースは、媒体タイプおよび接続技術のうちの少なくとも１つによって、前記第１の通信インタフェースとは異なるコードと、
前記コンピュータに、予め定められた第２の期間、前記アクティブ化された第２の通信インタフェースの通信サービス・レベルを評価させるコードと、
前記コンピュータに、前記第２の通信インタフェースを非アクティブ化することと、前記第１および第２の通信インタフェースのどちらも、前記第１および第２の通信インタフェースを評価することの間は同時にアクティブ化されないこととを実行させるコードと、
前記コンピュータに、前記第１の通信インタフェースの通信サービス・レベルと、前記第２の通信インタフェースの通信サービス・レベルとの比較を実行させるコードと、
前記コンピュータに、前記通信サービス・レベルの比較に基づいて、通信インタフェースを選択させるコードと
を備えたコンピュータ読取可能記録媒体。
【請求項６】
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
第１の通信インタフェースと第２の通信インタフェースとをアクティブ化することであって、前記第２の通信インタフェースは、媒体タイプおよび接続技術のうちの少なくとも１つによって、前記第１の通信インタフェースとは異なることと、
前記アクティブ化された第１の通信インタフェースと、前記アクティブ化された第２の通信インタフェースとの通信サービス・レベルを評価することと、
前記第１の通信インタフェースの通信サービス・レベルと、前記第２の通信インタフェースの通信サービス・レベルとの比較を実行することと、
前記第１の通信インタフェースと前記第２の通信インタフェースとを非アクティブ化することであって、前記第１および第２の通信インタフェースのどちらも、前記第１および第２の通信インタフェースを評価することの間は同時にアクティブ化されないことと、
前記通信サービス・レベルの比較に基づいて、通信インタフェースを選択することと
を備えた方法。
【請求項７】
前記第１の通信インタフェースと前記第２の通信インタフェースとが同時にアクティブ化される、請求項６に記載のモバイル局のための通信サービスを提供する方法。
【請求項８】
前記第１の通信インタフェースと前記第２の通信インタフェースとが同時に非アクティブ化される、請求項６に記載のモバイル局のための通信サービスを提供する方法。
【請求項９】
前記モバイル局は、前記アクティブ電力モードである通信インタフェースの通信サービス・レベルを評価することができ、前記非アクティブ電力モードである通信インタフェースの通信サービス・レベルを評価することができない、請求項６に記載のモバイル局のための通信サービスを提供する方法。
【請求項１０】
前記通信サービス・レベルの比較に基づいて、通信インタフェースを選択することを更に備えた、請求項６に記載のモバイル局のための通信サービスを提供する方法。
【請求項１１】
各々がアクティブ電力モードと非アクティブ電力モードとを有する複数の通信インタフェースであって、前記アクティブ電力モードである通信インタフェースの電力消費が、前記非アクティブ電力モードである通信インタフェースの電力消費より大きい複数の通信インタフェースと、
第１の通信インタフェースと第２の通信インタフェースとをアクティブ化する手段であって、前記第２の通信インタフェースは、媒体タイプおよび接続技術のうちの少なくとも１つによって、前記第１の通信インタフェースとは異なる手段と、
前記アクティブ化された第１の通信インタフェースと、前記アクティブ化された第２の通信インタフェースとの通信サービス・レベルを評価する手段と、
前記第１の通信インタフェースの通信サービス・レベルと、前記第２の通信インタフェースの通信サービス・レベルとの比較を実行する手段と、
前記第１の通信インタフェースと前記第２の通信インタフェースとを非アクティブ化する手段であって、前記第１および第２の通信インタフェースのどちらも、前記第１および第２の通信インタフェースを評価することの間は同時にアクティブ化されない手段と、
前記通信サービス・レベルの比較に基づいて、通信インタフェースを選択する手段と
を備えたモバイル局。
【請求項１２】
コンピュータに、第１の通信インタフェースと第２の通信インタフェースとをアクティブ化させるコードであって、前記第２の通信インタフェースは、媒体タイプおよび接続技術のうちの少なくとも１つによって、前記第１の通信インタフェースとは異なるコードと、
前記コンピュータに、前記アクティブ化された第１の通信インタフェースと、前記アクティブ化された第２の通信インタフェースとの通信サービス・レベルを評価させるコードと、
前記コンピュータに、前記第１の通信インタフェースの通信サービス・レベルと、前記第２の通信インタフェースの通信サービス・レベルとの比較を実行させるコードと、
前記コンピュータに、前記第１の通信インタフェースと前記第２の通信インタフェースとを非アクティブ化することと、前記第１および第２の通信インタフェースのどちらも、前記第１および第２の通信インタフェースを評価することの間は同時にアクティブ化されないこととを実行させるコードと、
前記コンピュータに、前記通信サービス・レベルの比較に基づいて、通信インタフェースを選択させるコードと
を備えたコンピュータ読取可能記録媒体。
【請求項１３】
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
第１の通信インタフェースをアクティブ化し、第２の通信インタフェースを非同期にアクティブ化することであって、前記第２の通信インタフェースは、媒体タイプおよび接続技術のうちの少なくとも１つによって、前記第１の通信インタフェースとは異なることと、
前記アクティブ化された第１の通信インタフェースと、前記アクティブ化された第２の通信インタフェースとの通信サービス・レベルを評価することと、
前記第１の通信インタフェースの通信サービス・レベルと、前記第２の通信インタフェースの通信サービス・レベルとの比較を実行することと、
前記第１の通信インタフェースと前記第２の通信インタフェースとを非同期に非アクティブ化することであって、前記第１および第２の通信インタフェースのどちらも、前記第１および第２の通信インタフェースを評価することの間は同時にアクティブ化されないことと、
前記通信サービス・レベルの比較に基づいて、通信インタフェースを選択することとを備えた方法。
【請求項１４】
前記第１の通信インタフェースのアクティブ化時間と、前記第２の通信インタフェースのアクティブ化時間とが等しい、請求項１３に記載のモバイル局のための通信サービスを提供する方法。
【請求項１５】
前記第１の通信インタフェースと前記第２の通信インタフェースとのアクティブ化期間が等しくない、請求項１３に記載のモバイル局のための通信サービスを提供する方法。
【請求項１６】
前記アクティブ化期間は、前記第１の通信インタフェースと前記第２の通信インタフェースとのための相対的なセットアップ時間に基づいている、請求項１３に記載のモバイル局のための通信サービスを提供する方法。
【請求項１７】
前記モバイル局は、前記アクティブ電力モードである通信インタフェースの通信サービス・レベルを評価することができ、前記非アクティブ電力モードである通信インタフェースの通信サービス・レベルを評価することができない、請求項１３に記載のモバイル局のための通信サービスを提供する方法。
【請求項１８】
前記通信サービス・レベルの比較に基づいて通信インタフェースを選択することを更に備えた、請求項１３に記載のモバイル局のための通信サービスを提供する方法。
【請求項１９】
各々がアクティブ電力モードと非アクティブ電力モードとを有する複数の通信インタフェースであって、前記アクティブ電力モードである通信インタフェースの電力消費が、前記非アクティブ電力モードである通信インタフェースの電力消費より大きい複数の通信インタフェースと、
第１の通信インタフェースと第２の通信インタフェースとをアクティブ化する手段であって、前記第２の通信インタフェースは、媒体タイプおよび接続技術のうちの少なくとも１つによって、前記第１の通信インタフェースとは異なる手段と、
前記アクティブ化された第１の通信インタフェースと、前記アクティブ化された第２の通信インタフェースとの通信サービス・レベルを評価する手段と、
前記第１の通信インタフェースの通信サービス・レベルと、前記第２の通信インタフェースの通信サービス・レベルとの比較を実行する手段と、
前記第１の通信インタフェースと前記第２の通信インタフェースとを非アクティブ化する手段であって、前記第１および第２の通信インタフェースのどちらも、前記第１および第２の通信インタフェースを評価することの間は同時にアクティブ化されない手段と、
前記通信サービス・レベルの比較に基づいて、通信インタフェースを選択する手段と
を備えたモバイル局。
【請求項２０】
コンピュータに、第１の通信インタフェースと第２の通信インタフェースとをアクティブ化させるコードであって、前記第２の通信インタフェースは、媒体タイプおよび接続技術のうちの少なくとも１つによって、前記第１の通信インタフェースとは異なるコードと、
前記コンピュータに、前記アクティブ化された第１の通信インタフェースと、前記アクティブ化された第２の通信インタフェースとの通信サービス・レベルを評価させるコードと、
前記コンピュータに、前記第１の通信インタフェースの通信サービス・レベルと、前記第２の通信インタフェースの通信サービス・レベルとの比較を実行させるコードと、
前記コンピュータに、前記第１の通信インタフェースと前記第２の通信インタフェースとを非アクティブ化することと、前記第１および第２の通信インタフェースのどちらも、前記第１および第２の通信インタフェースを評価することの間は同時にアクティブ化されないこととを実行させるコードと、
前記コンピュータに、前記通信サービス・レベルの比較に基づいて、通信インタフェースを選択させるコードと
を備えたコンピュータ読取可能記録媒体。
【発明の詳細な説明】
【技術分野】
【０００１】
本発明は、一般に無線通信に関し、特に、セルラー無線通信に関する。
【背景技術】
【０００２】
通信の分野は、例えばページング、無線ローカル・ループ、インターネット・テレフォニ、及び衛星通信システムを含む多くのアプリケーションを有する。典型的なアプリケーションは、モバイル加入者のためのセルラー電話システムである（本明細書で用いられる場合、「セルラー」システムという用語は、セルラー・システム周波数とパーソナル通信サービス（ＰＣＳ）システム周波数との両方を包含する）。共通通信媒体に複数のユーザがアクセスすることを可能にするために設計された、例えば無線通信システムのような現代の通信システムは、そのようなセルラー・システムのために開発された。これら現代の通信システムは、例えば符号分割多元接続（ＣＤＭＡ）、時分割多元接続（ＴＤＭＡ）、周波数分割多元接続（ＦＤＭＡ）、空間分割多元接続（ＳＤＭＡ）、極（polarization）分割多元接続（ＰＤＭＡ）、又は当該技術において知られているその他の変調技術のような多元接続技術に基づくことができる。これらの変調技術は、通信システムの複数のユーザから受信した信号を変調し、それによって、通信システムの容量における増加を可能にする。更に関連して、例えばアドバンスト・モバイル電話サービス（ＡＭＰＳ）、グローバル・システム・フォー・モバイル・コミュニケーション（ＧＳＭ（登録商標））、及びその他の無線システムを含む様々な無線通信システムが確立された。
【０００３】
ＦＤＭＡシステムにおいて、周波数スペクトル全体が複数のより小さなサブバンドに分割され、各ユーザは、通信媒体にアクセスするために自身のサブバンドを与えられる。あるいは、ＴＤＭＡシステムにおいて、周波数スペクトル全体が複数のより小さなサブバンドに分割され、各サブバンドが複数のユーザに共有され、各ユーザは、サブバンドを用いて、予め定められた時間スロットで送信することができる。ＣＤＭＡシステムは、増加されたシステム容量を含む、他のタイプのシステムに対する潜在的な利点を提供する。ＣＤＭＡシステムにおいて、各ユーザは、常に周波数スペクトル全体を与えられるが、独自のコードを用いることによって自身の送信を区別する。
【０００４】
ＣＤＭＡシステムは、例えば（１）“TIA/EIA-95-B Mobile Station-Base Station Compatibility Standard for Dual-Mode Wideband Spread Spectrum Cellular System”（ＩＳ−９５規格）、（２）“3rd Generation Partnership Project”（３ＧＰＰ）と名づけられた組織によって提供され、ドキュメント番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含む文書のセットに包含された規格（Ｗ−ＣＤＭＡ規格）、及び（３）“3rd Generation Partnership Project 2”（３ＧＰＰ２）と名づけられた組織によって提供され、“TR-45.5 Physical Layer Standard for cdma2000 Spread Spectrum Systems”に包含された規格（ＩＳ−２０００規格）、のような１つ又は複数のＣＤＭＡ規格をサポートするように設計されうる。
【０００５】
上記ＣＤＭＡ通信システム及び規格において、利用可能スペクトルは、複数のユーザに同時に共有され、例えば音声サービス及びデータ・サービスのようなサービスを提供するために適切な技術が利用可能である。
【０００６】
一般的なモバイル加入者は、例えばモバイル電話やラップトップのようなモバイル局を用いて、無線通信システムにアクセスする。モバイル局は、様々な媒体タイプや接続技術をサポートするいくつかの通信インタフェースを有することができる。エネルギ制約又は電力制約は、モバイル局の用いられていない通信インタフェースを非アクティブにするように指示することができる。既存の技術は、非アクティブな通信インタフェースを再びアクティブにするために、基地局との調整又はユーザ介入を必要としうる。そこで、当該技術において、非アクティブな通信インタフェースの通信サービス・レベルを効率的にアクティブ化及び評価する技術を用いるように構成されたモバイル局へのニーズがある。
【発明の概要】
【０００７】
本発明の局面は、複数の通信インタフェースを有するモバイル局のための通信サービスを提供する方法に存在することができる。各通信インタフェースは、アクティブ電力モードと非アクティブ電力モードとを有する。アクティブ電力モードである通信インタフェースの電力消費は、非アクティブ電力モードである通信インタフェースの電力消費より大きい。該方法において、第１の通信インタフェースが、複数の通信インタフェースに対する第１の通信インタフェースの電力特性に基づいてアクティブ化される。アクティブ化された第１の通信インタフェースの通信サービス・レベルが、第１の予め定められた期間、評価される。第１の通信インタフェースはその後、非アクティブ化される。第２の通信インタフェースが、複数の通信インタフェースに対する第２の通信インタフェースの電力特性に基づいてアクティブ化される。アクティブ化された第２の通信インタフェースの通信サービス・レベルが、第２の予め定められた期間、評価される。第２の通信インタフェースはその後、非アクティブ化される。
【０００８】
更に詳しい局面において、該モバイル局は、アクティブ電力モードである通信インタフェースの通信サービス・レベルを評価することができ、非アクティブ電力モードである通信インタフェースの通信サービス・レベルを評価することができない。更に、第１の通信インタフェースの通信サービス・レベルと、第２の通信インタフェースの通信サービス・レベルとの比較が実行され、この通信サービス・レベルの比較に基づいて、通信インタフェースが選択されうる。加えて、電力特性は、複数の通信インタフェースのうちの別の通信インタフェースの電力消費との比較におけるそれぞれの通信インタフェースの電力消費を含むことができる。
【０００９】
本発明の別の局面は、コンピュータに、それぞれの方法における機能を実現させるコードを備えたコンピュータ読取可能媒体を備えたコンピュータ・プログラム製品に存在することができる。
【００１０】
同様に、本発明の局面は、複数の通信インタフェースを含むモバイル局に存在することができる。各通信インタフェースは、アクティブ電力モードと非アクティブ電力モードとを有する。アクティブ電力モードである通信インタフェースの電力消費は、非アクティブ電力モードである通信インタフェースの電力消費より大きい。該モバイル局は更に、複数の通信インタフェースに対する第１の通信インタフェースの電力特性に基づいて第１の通信インタフェースをアクティブ化する手段と、第１の予め定められた期間、アクティブ化された第１の通信インタフェースの通信サービス・レベルを評価する手段と、第１の通信インタフェースを非アクティブ化する手段と、複数の通信インタフェースに対する第２の通信インタフェースの電力特性に基づいて第２の通信インタフェースをアクティブ化する手段と、第２の予め定められた期間、アクティブ化された第２の通信インタフェースの通信サービス・レベルを評価する手段と、第２の通信インタフェースを非アクティブ化する手段とを含むことができる。
【００１１】
本発明のまた別の局面は、複数の通信インタフェースを有するモバイル局のための通信サービスを提供する方法に存在することができる。該方法において、第１の通信インタフェースと第２の通信インタフェースとがアクティブ化されうる。アクティブ化された第１の通信インタフェースの通信サービス・レベルと、アクティブ化された第２の通信インタフェースの通信サービス・レベルとが評価される。第１の通信インタフェースの通信サービス・レベルと、第２の通信インタフェースの通信サービス・レベルとの比較が実行される。第１の通信インタフェース及び第２の通信インタフェースはその後非アクティブ化される。
【００１２】
更に詳しい局面において、第１の通信インタフェースと第２の通信インタフェースとが同時にアクティブ化されうる。また、第１の通信インタフェースと第２の通信インタフェースとが同時に非アクティブ化されうる。
【００１３】
本発明の局面はまた、複数の通信インタフェースを有するモバイル局のための通信サービスを提供する方法に存在することができる。該方法において、第１の通信インタフェースと第２の通信インタフェースとが非同期にアクティブ化されうる。アクティブ化された第１の通信インタフェースの通信サービス・レベルと、アクティブ化された第２の通信インタフェースの通信サービス・レベルとが評価される。第１の通信インタフェースの通信サービス・レベルと、第２の通信インタフェースの通信サービス・レベルとの比較が実行される。第１の通信インタフェース及び第２の通信インタフェースはその後、非同期に非アクティブ化される。
【００１４】
更に詳しい局面において、第１の通信インタフェースのアクティブ化期間と、第２の通信インタフェースのアクティブ化期間とは等しくあることができる。あるいは、第１の通信インタフェースのアクティブ化期間と、第２の通信インタフェースのアクティブ化期間とが等しくなくてもよい。更に、アクティブ化期間ピリオドは、第１の通信インタフェースと第２の通信インタフェースとの相対セットアップ時間、又は第１の通信インタフェースと第２の通信インタフェースとの相対使用履歴に基づくことができる。
【図面の簡単な説明】
【００１５】
【図１】図１は、無線通信システムの例である。
【図２】図２は、本発明の局面に従う、複数のアクセス・ネットワークへのアクセスを有するモバイル局のブロック図である。
【図３】図３は、本発明の局面に従う、複数の通信インタフェースを有するモバイル局のブロック図である。
【図４】図４は、本発明の局面に従う、通信インタフェースの通信サービス・レベルを効率的に評価する方法のフロー図である。
【図５】図５は、本発明の局面に従う、通信インタフェースの通信サービス・レベルを効率的に評価する別の方法のフロー図である。
【図６】図６は、本発明の局面に従う、非アクティブ通信インタフェースの通信サービス・レベルを効率的に評価する別の方法のフロー図である。
【図７Ａ】図７Ａは、本発明の局面に従う、通信インタフェースの相対的なアクティブ化時間及び非アクティブ化時間を示すタイミング図である。
【図７Ｂ】図７Ｂは、本発明の局面に従う、通信インタフェースの相対的なアクティブ化時間及び非アクティブ化時間を示すタイミング図である。
【図７Ｃ】図７Ｃは、本発明の局面に従う、通信インタフェースの相対的なアクティブ化時間及び非アクティブ化時間を示すタイミング図である。
【図７Ｄ】図７Ｄは、本発明の局面に従う、通信インタフェースの相対的なアクティブ化時間及び非アクティブ化時間を示すタイミング図である。
【発明を実施するための形態】
【００１６】
本明細書において用いられる「典型的」という言葉は、「例、実例、又は例証を提供すること」を意味する。本明細書において「典型的」であるとして説明される任意の実施形態は、必ずしも他の実施形態に対して好適又は有利であると解釈されるわけではない。
【００１７】
モバイル局（ＭＳ）、アクセス端末（ＡＴ）、ユーザ機器、又は加入者ユニットとしても知られている遠隔局は、移動式又は固定式であることができ、基地トランシーバ局（ＢＴＳ）又はノードＢとしても知られている１つ又は複数の基地局と通信することができる。遠隔局は、１つ又は複数の基地局を介して、無線ネットワークコントローラ（ＲＮＣ）としても知られている基地局コントローラとデータ・パケットを送受信する。基地局及び基地局コントローラは、アクセス・ネットワークと称されるネットワークの一部である。アクセス・ネットワークは、複数の遠隔局間でデータ・パケットを伝送する。アクセス・ネットワークは、例えば企業イントラネット又はインターネットのような、アクセス・ネットワーク外の追加のネットワークに更に接続され、そのような外部ネットワークと各遠隔局との間でデータ・パケットを伝送することができる。１つ又は複数の基地局とのアクティブなトラヒック・チャネル接続を確立した遠隔局は、アクティブ遠隔局と称され、トラヒック状態にあると言われる。１つ又は複数の基地局とのアクティブなトラヒック・チャネル接続を確立する処理中の遠隔局は、接続セットアップ状態にあると言われる。遠隔局は、無線チャネルを介して通信する任意のデータ・デバイスであることができる。遠隔局は更に、ＰＣカード、コンパクト・フラッシュ、外部モデムあるいは内部モデム、又は無線電話を含むが、それらに限定されない任意の多くのタイプのデバイスであることができる。遠隔局が基地局へ信号を送信する通信リンクはアップリンクと称され、逆方向リンクとしても知られている。基地局が遠隔局へ信号を送信する通信リンクはダウンリンクと称され、順方向リンクとしても知られている。
【００１８】
図１を参照すると、無線通信システム１００は、１つ又は複数の無線モバイル局（ＭＳ）１０２、１つ又は複数の基地局（ＢＳ）１０４、１つ又は複数の基地局コントローラ（ＢＳＣ）１０６、及びコア・ネットワーク１０８を含む。コア・ネットワークは、適切なバックホールを介してインターネット１１０及び公衆通信交換電話網（ＰＳＴＮ）１１２に接続されうる。典型的な無線モバイル局は、ハンドヘルド電話又はラップトップ・コンピュータを含むことができる。無線通信システム１００は、例えば符号分割多元接続（ＣＤＭＡ）、時分割多元接続（ＴＤＭＡ）、周波数分割多元接続（ＦＤＭＡ）、空間分割多元接続（ＳＤＭＡ）、極（polarization）分割多元接続（ＰＤＭＡ）、又は当該技術において周知であるその他の変調技術のような多くの多元接続技術のうちの任意の１つを用いることができる。
【００１９】
図２を参照すると、モバイル加入者は、様々な媒体タイプ又は接続技術をサポートする多元接続ネットワークへのアクセスを有することができる。詳しくは、図１の無線通信システム１００に加え、モバイル加入者は、ＩＥＥＥ８０２．１１規格に基づき、アクセス・ポイント２１０を介した、無線（ＷｉＦｉ）ネットワーク接続２０８、又は有線イーサネット（登録商標）接続２０６を介して、ローカル・エリア・ネットワーク（ＬＡＮ）２０４へのアクセスを有することができる。ＬＡＮは、例えばインターネット・サービス・プロバイダ（ＩＳＰ）２１４を介してインターネットに接続されうる。また、モバイル加入者は、ユニバーサル・シリアル・バス（ＵＳＢ）接続２２０、赤外線（ＩＲ）接続２２２、又はＢｌｕｅｔｏｏｔｈ（登録商標）接続２２４を有するラップトップ・コンピュータ２１８やパーソナル・コンピュータ（ＰＣ）２１６へのアクセスを有することができる。
【００２０】
また、モバイル加入者は、別の無線通信システム１００’へのアクセスを有することもできる。例えば、第１の通信システム１００は、ＣＤＭＡ多元接続技術に基づくことができ、第２の無線通信システム１００’は、例えばグローバル・システム・フォー・モバイル・コミュニケーション（ＧＳＭ）のようなＴＤＭＡ接続技術に基づくことができる。
【００２１】
図３を参照すると、モバイル局１０２は、いくつかの通信インタフェース（ＣＩ）３０２を有することができる。詳しくは、モバイル局は、ＣＤＭＡベースの無線通信システム１００との通信のための通信インタフェースＡと、ＧＳＭベースの無線通信システム１００’との通信のための別の通信インタフェースＢとを有することができる。これら２つの通信インタフェースは、共通のアンテナ３０４を共有するか、あるいは別々のアンテナ（図示せず）を有することができる。また、モバイル局は、ＷｉＦｉアクセス・ポイント２１０又はＢｌｕｅｔｏｏｔｈ接続２２４との通信のための通信インタフェースＣを有することができる。更に、モバイル局は、イーサネット接続２０６又はＵＳＢ接続２２０を介した直接有線接続のためのプラグ３０６を備えた通信インタフェースＤを有することができる。加えて、モバイル局は、赤外線（ＩＲ）光トランシーバ３０８を用いる通信のための通信インタフェースＥを有することができる。
【００２２】
モバイル局１０２は、電力制御モジュール３１２に接続された内部バッテリ３１０を有する。電力制御モジュールは、バッテリ電力を通信インタフェース３０２へ割り当てる。各通信インタフェースは、バッテリから最大電力が引き出されるアクティブ・モードと、バッテリから電力が引き出されない又はほとんど引き出されない非アクティブ・モードとを有する。モバイル局はまた、ディスプレイ３１４、キーパッド３１６、スピーカ３１８、及びマイクロホン３２０を有することもできる。モバイル局は、ヘッドホン・ジャック３２２を含むことができる。メモリのコストが低減し、一般的な内部制御プロセッサ３２４の処理電力が増加したので、更なる特徴及び機能がモバイル局に含まれうる。例えばモバイル局は、ワールド・ワイド・ウェブをサーフしたり、音楽をダウンロードして聴いたり、ビデオ及び映画をダウンロードして視聴したり、あるいはグローバル・ポジショニング衛星（ＧＰＳ）受信機３２６を用いて地理的位置を決定するために用いられうる。
【００２３】
図４を参照すると、本発明の１つの局面は、複数の通信インタフェース３０２を有するモバイル局１０２のための通信サービスを提供する方法４００に存在することができる。各通信インタフェースは、アクティブ電力モードと非アクティブ電力モードとを有する。アクティブ電力モードである通信インタフェースの電力消費は、非アクティブ電力モードである通信インタフェースの電力消費より大きい。この方法において、第１の通信インタフェースが、複数の通信インタフェースに対する第１の通信インタフェースの電力特性に基づいてアクティブ化される（ステップ４０２）。アクティブ化された第１の通信インタフェースの通信サービス・レベルが、第１の予め定められた期間、評価される（ステップ４０４）。第１の通信インタフェースはその後、非アクティブ化される（ステップ４０６）。第２の通信インタフェースが、複数の通信インタフェースに対する第２の通信インタフェースの電力特性に基づいてアクティブ化される（ステップ４０８）。アクティブ化された第２の通信インタフェースの通信サービス・レベルが、第２の予め定められた期間、評価される（ステップ４１０）。第２の通信インタフェースはその後、非アクティブ化される（ステップ４１２）。
【００２４】
更に詳細な局面において、モバイル局１０２は、アクティブ電力モードである通信インタフェース３０２の通信サービス・レベルを評価することができ、非アクティブ動作モードである通信インタフェースの通信サービス・レベルを評価することはできない。更に、第１の通信インタフェースの通信サービス・レベルと、第２の通信インタフェースの通信サービス・レベルとの比較が実行され、通信サービス・レベルの比較に基づいて、通信インタフェースが選択されうる。加えて、電力特性は、複数の通信インタフェースのうちの別の通信インタフェースの電力消費との比較におけるそれぞれの通信インタフェースの電力消費を含むことができる。
【００２５】
通信サービス・レベルは、従来のサービス品質（ＱｏＳ）メトリック、ラジオ周波数（ｒｆ）信号強度、金銭的コスト、提供されるセキュリティのレベル、明確なインタフェース優先順位、及び同様の要件のうちの１つ、あるいはこれらの組み合わせに基づくことができる。従来のＱｏＳパラメータは、スループット、遅延、ジッタ、パケット誤り率等である。
【００２６】
同様に、局面は、複数の通信インタフェース３０２を含むモバイル局１０２に存在することができる。各通信インタフェースは、アクティブ電力モードと非アクティブ電力モードとを有することができる。アクティブ電力モードである通信インタフェースの電力消費は、非アクティブ電力モードである通信インタフェースの電力消費より大きい。モバイル局は更に、複数の通信インタフェースに対する第１の通信インタフェースの電力特性に基づいて第１の通信インタフェースをアクティブ化する手段と、第１の予め定められた期間、アクティブ化された第１の通信インタフェースの通信サービス・レベルを評価する手段と、第１の通信インタフェースを非アクティブ化する手段と、複数の通信インタフェースに対する第２の通信インタフェースの電力特性に基づいて第２の通信インタフェースをアクティブ化する手段と、第２の予め定められた期間、アクティブ化された第２の通信インタフェースの通信サービス・レベルを評価する手段と、第２の通信インタフェースを非アクティブ化する手段とを含むことができる。通信サービス・レベルを評価する手段と、通信サービス・レベルの比較を実行する手段との各々は、制御プロセッサ３２４を適切に含むことができる。アクティブ化する手段と、非アクティブ化する手段との各々は、電力制御モジュール３１２を適切に含むことができる。
【００２７】
本発明の別の局面は、方法ステップを実行する制御プロセッサ３２４を有するモバイル局１０２に存在することができる。局面は、命令群を備える機械読取可能媒体に存在することができ、この命令群は、機械によって実行されると、方法ステップの動作を機械に実行させる。
【００２８】
図５を参照すると、本発明の別の局面は、複数の通信インタフェース３０２を有するモバイル局１０２のための通信サービスを提供する方法５００に存在することができる。この方法において、第１の通信インタフェース及び第２の通信インタフェースがアクティブ化されうる（ステップ５０２）。アクティブ化された第１の通信インタフェース及びアクティブ化された第２の通信インタフェースの通信サービス・レベルが評価される（ステップ５０４）。第１の通信インタフェースの通信サービス・レベルと、第２の通信インタフェースの通信サービス・レベルとの比較が実行される（ステップ５０６）。第１の通信インタフェース及び第２の通信インタフェースはその後、非アクティブ化される（ステップ５０８）。
【００２９】
図７Ａ及び図７Ｂを参照すると、第１及び第２の通信インタフェース３０２は、同時にアクティブ化されうる。また、図７Ａ及び図７Ｃを参照すると、第１及び第２の通信インタフェースは、同時に非アクティブ化されうる。
【００３０】
図６を参照すると、本発明の局面はまた、複数の通信インタフェース３０２を有するモバイル局１０２のための通信サービスを提供する方法６００に存在することができる。この方法において、第１の通信インタフェース及び第２の通信インタフェースは、図７Ｄに示すように、非同期にアクティブ化される（ステップ６０２）。アクティブ化された第１の通信インタフェース及びアクティブ化された第２の通信インタフェースの通信サービス・レベルが評価される（ステップ６０４）。第１の通信インタフェースの通信サービス・レベルと、第２の通信インタフェースの通信サービス・レベルとの比較が実行される（ステップ６０６）。第１の通信インタフェース及び第２の通信インタフェースはその後、図７Ｄに示すように、非同期に非アクティブ化される（ステップ６０８）。
【００３１】
本発明の更に詳細な局面において、第１及び第２の通信インタフェース３０２のアクティブ化期間は等しくあることができる。あるいは、第１及び第２の通信インタフェースのアクティブ化期間は等しくなくてもよい。更に、アクティブ化期間ピリオドは、第１及び第２の通信インタフェースの相対セットアップ時間、及び／又は、第１及び第２の通信インタフェースの相対使用履歴に基づくことができる。
【００３２】
制御プロセッサ３２４は、第１の通信インタフェース３０２の通信サービス・レベルが予め定められた閾値を下回った場合、又はモバイル局１０２が予め定められた地理的領域内にある場合、第２の通信インタフェース３０２の通信サービス・レベルをアクティブ化及び評価することができる。モバイル局の近隣内又は地理的領域内で何れの媒体タイプがアクティブであるかの認識は、モバイル局内に備えられた近隣リスト、ブロードキャストされた近隣リスト、又はオフラインでフェッチされた近隣リストを用いて取得されうる。また、制御プロセッサは、モバイル局によってのみ決定される定められた期間で、又はそれぞれの通信インタフェースに関連する通信リンクの通信リンク品質要件によって決定された期間で、通信インタフェースの通信サービス・レベルを繰り返しアクティブ化及び評価する。他の要件は、リンク品質をモニタするために各通信インタフェースのために必要な時間、通信インタフェースがアクティブのままである持続期間に応じた電力におけるコスト、あるいは各通信インタフェースの使用の相対優先順位を含むことができる。
【００３３】
様々なシステム、プロトコル、媒体、及び通信インタフェースが、モバイル局１０２のために用いられうる。典型的なリストは、ＧＳＭ、ＧＰＲＳ、ＥＤＧＥ、ＷＣＤＭＡ、ＨＳＤＰＡ、ＨＳＵＰＡ、ＣＤＭＡ２０００  １Ｘ、ＣＤＭＡ２０００  １ｘＥＶ−ＤＯ、ＩＥＥＥ  ８０２．１１、Ｂｌｕｅｔｏｏｔｈ、ＲＦＩＤ、ＵＷＢ、赤外線、ＤＶＢ−Ｈ、ＭｅｄｉａＦＬＯ、ＩＥＥＥ  ８０２．１６、ＩＥＥＥ  ８０２．２０、イーサネット、ＵＳＢ、及び無線ＵＳＢを含む。
【００３４】
当業者は、情報及び信号が、様々な異なる技術及び技法を用いて表されうることを理解するであろう。例えば、上記記載を通して参照されたデータ、命令、コマンド、情報、信号、ビット、記号、及びチップは、電圧、電流、電磁波、磁界あるいは磁気粒子、光場あるいは光粒子、又はこれらの組み合わせによって表されうる。
【００３５】
当業者は更に、本明細書に開示された実施形態に関連して示された様々な例示的論理ブロック、モジュール、回路、及びアルゴリズムステップが、電子的ハードウェア、コンピュータ・ソフトウェア、又はこれらの組み合わせとして実現されうることを理解するであろう。ハードウェアとソフトウェアとの相互置換性を明確に説明するために、様々な例示的構成要素、ブロック、モジュール、回路、及びステップが、それらの機能の観点から一般的に説明された。そのような機能がハードウェアとして実現されるかソフトウェアとして実現されるかは、システム全体に課された設計制約及び特定のアプリケーションによる。当業者は、各特定のアプリケーションのために様々な方法によって上述された機能を実現することができるが、そのような実現の決定は、本発明の範囲から逸脱させるものとして解釈されてはならない。
【００３６】
本明細書に開示された実施形態に関連して示された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は本明細書に示す機能を実行するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、又は状態機器を用いることも可能である。プロセッサは、例えばＤＳＰとマイクロプロセッサとの組み合わせ、複数のマイクロプロセッサ、ＤＳＰコアに接続された１つ又は複数のマイクロプロセッサ、又はこのような任意の構成である計算デバイスの組み合わせとして実現することも可能である。
【００３７】
本明細書に開示された実施形態に関連して記述された方法やアルゴリズムのステップは、ハードウェアによって直接、プロセッサによって実行されるソフトウェア・モジュールによって、又は、これらの組み合わせによって具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他任意の形式の記憶媒体に収納されうる。典型的な記憶媒体は、プロセッサがそこから情報を読み取り、またそこに情報を書き込むことができるように、プロセッサに統合されうる。このプロセッサと記憶媒体とは、ＡＳＩＣ内に存在することができる。ＡＳＩＣは、ユーザ端末内に存在することができる。あるいはこのプロセッサと記憶媒体とは、ユーザ端末内のディスクリート部品として存在することができる。
【００３８】
１つ又は複数の典型的な実施形態において、説明された機能は、ハードウェア、ソフトウェア、ファームウェア、又はそれら任意の組み合わせによって実現されうる。コンピュータ・プログラム製品としてソフトウェアによって実現される場合、機能は、コンピュータ読取可能媒体上の１つ又は複数の命令又はコードとして格納又は送信されうる。コンピュータ読取可能媒体は、１つの場所から別の場所へのコンピュータ・プログラムの転送を容易にする任意の媒体を含む通信媒体及びコンピュータ記憶媒体両方を含む。記憶媒体は、コンピュータによってアクセス可能である任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、又は、コンピュータによってアクセス可能であり、命令又はデータ構成の形式で望まれるプログラム・コードを搬送又は格納するために用いられることができるその他任意の媒体を備えることができる。また、任意の接続が、コンピュータ読取可能媒体と適切に称される。例えば、ソフトウェアが、ウェブサイト、サーバ、又は、同軸ケーブル、光ファイバー・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバー・ケーブル、ツイスト線ペア、ＤＳＬ、又は、例えば赤外線、無線、及びマイクロ波のような無線技術は、媒体の定義内に含まれる。本明細書で用いられるディスク（disk）及びディスク（disc）は、コンパクト・ディスク（disc）（ＣＤ）、レーザ・ディスク（disc）、光ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光的にデータを再生する。上記の組み合わせもまた、コンピュータ読取可能媒体の範囲内に含まれるべきである。
【００３９】
開示された実施形態における上記記載は、当業者をして、本発明の製造又は利用を可能とするために提供される。これらの実施形態への様々な変形例もまた、当業者に対しては明らかであり、本明細書で定義された一般原理は、本発明の精神又は範囲から逸脱することなくその他の実施形態にも適用されうる。従って、本発明は、本明細書に示す実施形態に限定することは意図されておらず、本明細書に開示された原理及び新規特徴と整合が取れた最も広い範囲と一致するように意図されている。
以下に、本願出願の当初の特許請求の範囲に記載された発明を付記する。
［Ｃ１］
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
複数の通信インタフェースに対する第１の通信インタフェースの電力特性に基づいて、前記第１の通信インタフェースをアクティブ化することと、
第１の予め定められた期間、前記アクティブ化された第１の通信インタフェースの通信サービス・レベルを評価することと、
前記第１の通信インタフェースを非アクティブ化することと、
前記複数の通信インタフェースに対する第２の通信インタフェースの電力特性に基づいて、前記第２の通信インタフェースをアクティブ化することと、
第２の予め定められた期間、前記アクティブ化された第２の通信インタフェースの通信サービス・レベルを評価することと、
前記第２の通信インタフェースを非アクティブ化することと
を備えた方法。
［Ｃ２］
前記第１の通信インタフェースの通信サービス・レベルと、前記第２の通信インタフェースの通信サービス・レベルとの比較を実行することを更に備えた、Ｃ１に記載のモバイル局のための通信サービスを提供する方法。
［Ｃ３］
前記通信サービス・レベルの比較に基づいて、通信インタフェースを選択することを更に備えた、Ｃ２に記載のモバイル局のための通信サービスを提供する方法。
［Ｃ４］
前記電力特性は、前記複数の通信インタフェースのうちの別の通信インタフェースの電力消費との比較におけるそれぞれの通信インタフェースの電力消費を備える、Ｃ１に記載のモバイル局のための通信サービスを提供する方法。
［Ｃ５］
前記モバイル局は、前記アクティブ電力モードである通信インタフェースの通信サービス・レベルを評価することができ、前記非アクティブ電力モードである通信インタフェースの通信サービス・レベルを評価することができない、Ｃ１に記載のモバイル局のための通信サービスを提供する方法。
［Ｃ６］
各々がアクティブ電力モードと非アクティブ電力モードとを有する複数の通信インタフェースであって、前記アクティブ電力モードである通信インタフェースの電力消費は、前記非アクティブ電力モードである通信インタフェースの電力消費より大きい複数の通信インタフェースと、
前記複数の通信インタフェースに対する第１の通信インタフェースの電力特性に基づいて、前記第１の通信インタフェースをアクティブ化する手段と、
第１の予め定められた期間、前記アクティブ化された第１の通信インタフェースの通信サービス・レベルを評価する手段と、
前記第１の通信インタフェースを非アクティブ化する手段と、
前記複数の通信インタフェースに対する第２の通信インタフェースの電力特性に基づいて、前記第２の通信インタフェースをアクティブ化する手段と、
第２の予め定められた期間、前記アクティブ化された第２の通信インタフェースの通信サービス・レベルを評価する手段と、
前記第２の通信インタフェースを非アクティブ化する手段と
を備えたモバイル局。
［Ｃ７］
コンピュータに、複数の通信インタフェースに対する第１の通信インタフェースの電力特性に基づいて、前記第１の通信インタフェースをアクティブ化させるコードと、
コンピュータに、第１の予め定められた期間、前記アクティブ化された第１の通信インタフェースの通信サービス・レベルを評価させるコードと、
コンピュータに、前記第１の通信インタフェースを非アクティブ化させるコードと、
コンピュータに、前記複数の通信インタフェースに対する第２の通信インタフェースの電力特性に基づいて、前記第２の通信インタフェースをアクティブ化させるコードと、
コンピュータに、予め定められた第２の期間、前記アクティブ化された第２の通信インタフェースの通信サービス・レベルを評価させるコードと、
コンピュータに、前記第２の通信インタフェースを非アクティブ化させるコードと
を備えたコンピュータ読取可能媒体を備えたコンピュータ・プログラム製品。
［Ｃ８］
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
第１の通信インタフェースと第２の通信インタフェースとをアクティブ化することと、
前記アクティブ化された第１の通信インタフェースと、前記アクティブ化された第２の通信インタフェースとの通信サービス・レベルを評価することと、
前記第１の通信インタフェースの通信サービス・レベルと、前記第２の通信インタフェースの通信サービス・レベルとの比較を実行することと、
前記第１の通信インタフェースと前記第２の通信インタフェースとを非アクティブ化することと
を備えた方法。
［Ｃ９］
前記第１の通信インタフェースと前記第２の通信インタフェースとが同時にアクティブ化される、Ｃ８に記載のモバイル局のための通信サービスを提供する方法。
［Ｃ１０］
前記第１の通信インタフェースと前記第２の通信インタフェースとが同時に非アクティブ化される、Ｃ８に記載のモバイル局のための通信サービスを提供する方法。
［Ｃ１１］
前記モバイル局は、前記アクティブ電力モードである通信インタフェースの通信サービス・レベルを評価することができ、前記非アクティブ電力モードである通信インタフェースの通信サービス・レベルを評価することができない、Ｃ８に記載のモバイル局のための通信サービスを提供する方法。
［Ｃ１２］
前記通信サービス・レベルの比較に基づいて、通信インタフェースを選択することを更に備えた、Ｃ８に記載のモバイル局のための通信サービスを提供する方法。
［Ｃ１３］
各々がアクティブ電力モードと非アクティブ電力モードとを有する複数の通信インタフェースであって、前記アクティブ電力モードである通信インタフェースの電力消費が、前記非アクティブ電力モードである通信インタフェースの電力消費より大きい複数の通信インタフェースと、
第１の通信インタフェースと第２の通信インタフェースとをアクティブ化する手段と、
前記アクティブ化された第１の通信インタフェースと、前記アクティブ化された第２の通信インタフェースとの通信サービス・レベルを評価する手段と、
前記第１の通信インタフェースの通信サービス・レベルと、前記第２の通信インタフェースの通信サービス・レベルとの比較を実行する手段と、
前記第１の通信インタフェースと前記第２の通信インタフェースとを非アクティブ化する手段と
を備えたモバイル局。
［Ｃ１４］
コンピュータに、第１の通信インタフェースと第２の通信インタフェースとをアクティブ化させるコードと、
コンピュータに、前記アクティブ化された第１の通信インタフェースと、前記アクティブ化された第２の通信インタフェースとの通信サービス・レベルを評価させるコードと、
コンピュータに、前記第１の通信インタフェースの通信サービス・レベルと、前記第２の通信インタフェースの通信サービス・レベルとの比較を実行させるコードと、
コンピュータに、前記第１の通信インタフェースと前記第２の通信インタフェースとを非アクティブ化させるコードと
を備えたコンピュータ読取可能媒体を備えたコンピュータ・プログラム製品。
［Ｃ１５］
各々がアクティブ電力モードと非アクティブ電力モードとを有する複数の通信インタフェースを有するモバイル局のための通信サービスを提供する方法であって、前記アクティブ電力モードである通信インタフェースの電力消費は、前記非アクティブ電力モードである通信インタフェースの電力消費より大きく、前記方法は、
第１の通信インタフェースをアクティブ化し、第２の通信インタフェースを非同期にアクティブ化することと、
前記アクティブ化された第１の通信インタフェースと、前記アクティブ化された第２の通信インタフェースとの通信サービス・レベルを評価することと、
前記第１の通信インタフェースの通信サービス・レベルと、前記第２の通信インタフェースの通信サービス・レベルとの比較を実行することと、
前記第１の通信インタフェースと前記第２の通信インタフェースとを非同期に非アクティブ化することと
を備えた方法。
［Ｃ１６］
前記第１の通信インタフェースのアクティブ化時間と、前記第２の通信インタフェースのアクティブ化時間とが等しい、Ｃ１５に記載のモバイル局のための通信サービスを提供する方法。
［Ｃ１７］
前記第１の通信インタフェースと前記第２の通信インタフェースとのアクティブ化期間が等しくない、Ｃ１５に記載のモバイル局のための通信サービスを提供する方法。
［Ｃ１８］
前記アクティブ化期間は、前記第１の通信インタフェースと前記第２の通信インタフェースとのための相対的なセットアップ時間に基づいている、Ｃ１５に記載のモバイル局のための通信サービスを提供する方法。
［Ｃ１９］
前記アクティブ化期間は、前記第１の通信インタフェースと前記第２の通信インタフェースとの相対使用履歴に基づいている、Ｃ１５に記載のモバイル局のための通信サービスを提供する方法。
［Ｃ２０］
前記モバイル局は、前記アクティブ電力モードである通信インタフェースの通信サービス・レベルを評価することができ、前記非アクティブ電力モードである通信インタフェースの通信サービス・レベルを評価することができない、Ｃ１５に記載のモバイル局のための通信サービスを提供する方法。
［Ｃ２１］
前記通信サービス・レベルの比較に基づいて通信インタフェースを選択することを更に備えた、Ｃ１５に記載のモバイル局のための通信サービスを提供する方法。
［Ｃ２１］
各々がアクティブ電力モードと非アクティブ電力モードとを有する複数の通信インタフェースであって、前記アクティブ電力モードである通信インタフェースの電力消費が、前記非アクティブ電力モードである通信インタフェースの電力消費より大きい複数の通信インタフェースと、
第１の通信インタフェースと第２の通信インタフェースとをアクティブ化する手段と、
前記アクティブ化された第１の通信インタフェースと、前記アクティブ化された第２の通信インタフェースとの通信サービス・レベルを評価する手段と、
前記第１の通信インタフェースの通信サービス・レベルと、前記第２の通信インタフェースの通信サービス・レベルとの比較を実行する手段と、
前記第１の通信インタフェースと前記第２の通信インタフェースとを非アクティブ化する手段と
を備えたモバイル局。
［Ｃ２３］
コンピュータに、第１の通信インタフェースと第２の通信インタフェースとをアクティブ化させるコードと、
コンピュータに、前記アクティブ化された第１の通信インタフェースと、前記アクティブ化された第２の通信インタフェースとの通信サービス・レベルを評価させるコードと、
コンピュータに、前記第１の通信インタフェースの通信サービス・レベルと、前記第２の通信インタフェースの通信サービス・レベルとの比較を実行させるコードと、
コンピュータに、前記第１の通信インタフェースと前記第２の通信インタフェースとを非アクティブ化させるコードと
を備えたコンピュータ読取可能媒体を備えたコンピュータ・プログラム製品。
【図１】
0005485426.tif 000002
【図２】
0005485426.tif 000003
【図３】
0005485426.tif 000004
【図４】
0005485426.tif 000005
【図５】
0005485426.tif 000006
【図６】
0005485426.tif 000007
【図７Ａ】
0005485426.tif 000008
【図７Ｂ】
0005485426.tif 000009
【図７Ｃ】
0005485426.tif 000010
【図７Ｄ】
0005485426.tif 000011